(57)【要約】【課題】支持枠に対する扉の組付け作業を容易にするとともに、ヒンジ片のヒンジピンがヒンジ受け片の切欠きから不正に外されないようにする。【解決手段】本発明に係るパチンコ機のヒンジ装置は、扉の上隅部に固定される構造で、その扉の回転中心となるヒンジピンを有するヒンジ片２０と、扉を支持する支持枠の上隅部に固定される構造で、ヒンジ片２０のヒンジピン２６の上端部を回転可能に支持するヒンジ受け片３０とを備えるパチンコ機のヒンジ装置１０であって、ヒンジ受け片３０は、ヒンジピン２６をそのヒンジピン２６の半径方向から嵌め込むことが可能な構造で、ヒンジピン２６を回転可能に支持できる円弧部３６ｅを備える切欠き３６と、切欠き３６の円弧部３６ｅに嵌め込まれたヒンジピン２６の頭部２６ｈに掛けられ、その切欠き３６からのヒンジピン２６の外れ防止を図る係合部材４０とを有しており、係合部材４０は、支持枠に対して閉じられた扉の内面によって、ヒンジピン２６の頭部２６ｈから外れる方向の移動が禁止される構成であることを特徴とする。【選択図】　　　図１
2004049311.tif 000002
【特許請求の範囲】
【請求項１】
扉の上隅部に固定される構造で、その扉の回転中心となるヒンジピンを有するヒンジ片と、前記扉を支持する支持枠の上隅部に固定される構造で、前記ヒンジ片のヒンジピンの上端部を回転可能に支持するヒンジ受け片とを備えるパチンコ機のヒンジ装置であって、
前記ヒンジ受け片は、
前記ヒンジピンをそのヒンジピンの半径方向から嵌め込むことが可能な構造で、前記ヒンジピンを回転可能に支持できる円弧部を備える切欠きと、
前記切欠きの円弧部に嵌め込まれたヒンジピンの頭部に掛けられ、その切欠きからの前記ヒンジピンの外れ防止を図る係合部材とを有しており、
前記係合部材は、前記支持枠に対して閉じられた扉の内面によって、前記ヒンジピンの頭部から外れる方向の移動が禁止される構成であることを特徴とするパチンコ機のヒンジ装置。
【請求項２】
請求項１に記載のパチンコ機のヒンジ装置であって、
係合部材は、
ヒンジ受け片に取付けられた支持軸が通される軸受けと、
先端部分に形成されており、ヒンジピンの頭部に上方から掛けられる爪と、
基端部に形成された操作用レバーとを有し、
支持枠に固定されたヒンジ受け片に対して上下方向に回動可能な構成であり、
前記係合部材の爪を前記ヒンジピンの頭部から外そうとして、その係合部材を上方に移動させると、前記操作用レバーが下前方に移動して閉状態の扉の内面に当接し、前記爪の移動が禁止されることを特徴とするパチンコ機のヒンジ装置。
【請求項３】
請求項１又は請求項２のいずれかに記載のパチンコ機のヒンジ装置であって、
係合部材は、弾性力により、ヒンジピンの頭部に掛けられる位置に保持されていることを特徴とするパチンコ機のヒンジ装置。
【請求項４】
請求項３に記載のパチンコ機のヒンジ装置であって、
ヒンジピンの頭部には円錐面が形成されており、
係合部材の爪の外側には前記円錐面とほぼ等しい傾きの傾斜面が形成されており、
前記ヒンジピンがそのヒンジピンの半径方向からヒンジ受け片の切欠きに嵌め込まれる際に、そのヒンジピンの頭部の円錐面が前記係合部材の傾斜面を押圧することでその係合部材の爪が弾性力に抗して押上げられ、前記円錐面が傾斜面から外れて前記ヒンジピンが前記切欠きの円弧部に嵌め込まれた段階で、前記係合部材の爪が弾性力で前記ヒンジピンの頭部に掛けられる構成であることを特徴とするパチンコ機のヒンジ装置。
【発明の詳細な説明】
【０００１】
【発明の属する技術分野】
この発明は、扉の上隅部に固定される構造で、その扉の回転中心となるヒンジピンを有するヒンジ片と、前記扉を支持する支持枠の上隅部に固定される構造で、前記ヒンジ片のヒンジピンの上端部を回転可能に支持するヒンジ受け片とを備えるパチンコ機のヒンジ装置に関する。
【０００２】
【従来の技術】
従来のパチンコ機のヒンジ装置は、一般的に、図７の斜視図に示すように構成されている。
即ち、ヒンジ装置８０は、遊戯盤等が取付けられる表枠２の左上隅部と左下隅部とにそれぞれ固定される上部ヒンジ片８３、下部ヒンジ片８５と、略方形枠状に形成されてパチンコ機の本体ケースとなる機台枠３の左上隅部と左下隅部とにそれぞれ固定される上部ヒンジ受け片８２、下部ヒンジ受け片８４とを備えている。
【０００３】
上部ヒンジ片８３の先端部には下向きにヒンジピン８３ｐが形成されており、上部ヒンジ受け片８２の先端にはそのヒンジピン８３ｐが挿入される貫通孔８２ｋが形成されている。また、下部ヒンジ片８５の先端部には貫通孔８５ｋが形成されており、下部ヒンジ受け片８４の先端にその貫通孔８５ｋに挿入されるヒンジピン８４ｐが上向きに形成されている。
このため、表枠２を持ち上げて下部ヒンジ片８５の貫通孔８５ｋに機台枠３の下部ヒンジ受け片８４のヒンジピン８４ｐを通し、同時に上部ヒンジ片８３のヒンジピン８３ｐを上部ヒンジ受け片８２の貫通孔８２ｋに通すことにより、機台枠３に対して表枠２を回動可能に組付けることができる。
【０００４】
【発明が解決しようとする課題】
しかし、上記したパチンコ機のヒンジ装置８０によると、重量の大きな表枠２を持ち上げた状態で、ヒンジ片８３，８５とヒンジ受け片８２，８４との位置合わせを上下同時に行なわなければならないため、機台枠３に対する表枠２の組付け作業に手間が掛かるという問題がある。
本発明は、上記課題を解決するためになされたものであり、組付け作業を容易に行なえるヒンジ装置を提供するとともに、組付けが容易であっても不正に組付け解除が行なえない構成のヒンジ装置を提供することを目的とする。
【０００５】
【課題を解決するための手段】
上記した課題は、各請求項の発明によって解決される。
請求項１の発明は、扉の上隅部に固定される構造で、その扉の回転中心となるヒンジピンを有するヒンジ片と、前記扉を支持する支持枠の上隅部に固定される構造で、前記ヒンジ片のヒンジピンの上端部を回転可能に支持するヒンジ受け片とを備えるパチンコ機のヒンジ装置であって、前記ヒンジ受け片は、前記ヒンジピンをそのヒンジピンの半径方向から嵌め込むことが可能な構造で、前記ヒンジピンを回転可能に支持できる円弧部を備える切欠きと、前記切欠きの円弧部に嵌め込まれたヒンジピンの頭部に掛けられ、その切欠きからの前記ヒンジピンの外れ防止を図る係合部材とを有しており、前記係合部材は、前記支持枠に対して閉じられた扉の内面によって、前記ヒンジピンの頭部から外れる方向の移動が禁止される構成であることを特徴とする。
【０００６】
本発明によると、支持枠の上隅部に固定されたヒンジ受け片の切欠きに対して扉の上隅部に固定されたヒンジ片のヒンジピンをそのヒンジピンの半径方向から嵌め込むことができるため、支持枠の下隅部のヒンジ受け片と扉の下隅部のヒンジ片との連結を行なった後で、その上隅部のヒンジ受け片とヒンジ片との連結を行なうことができる。このため、上下のヒンジ受け片とヒンジ片との位置合わせを同時に行なう必要がなくなり、支持枠に対する扉の組付け作業が容易になる。
また、係合部材は、支持枠に対して閉じられた扉の内面によって、前記ヒンジピンの頭部から外れる方向の移動が禁止される。このため、支持枠に対して扉が閉じられていれば、ヒンジ片のヒンジピンがヒンジ受け片の切欠きから不正に外されることがない。
【０００７】
請求項２の発明では、係合部材は、ヒンジ受け片に取付けられた支持軸が通される軸受けと、先端部分に形成されており、ヒンジピンの頭部に上方から掛けられる爪と、基端部に形成された操作用レバーとを有し、支持枠に固定されたヒンジ受け片に対して上下方向に回動可能な構成であり、前記係合部材の爪を前記ヒンジピンの頭部から外そうとして、その係合部材を上方に移動させると、前記操作用レバーが下前方に移動して閉状態の扉の内面に当接し、前記爪の移動が禁止される。
【０００８】
このため、例えば、特殊工具を使用して係合部材の爪を上方に押上げ、ヒンジ片とヒンジ受け片との連結を不正に解除しようとしても、その係合部材の操作用レバーと扉の内面とによって不正行為を確実に防止できる。なお、扉が開かれた状態では、操作用レバーを引くことで係合部材の爪をヒンジピンの頭部から容易に外すことができる。
また、請求項３のように、係合部材を、弾性力により、爪がヒンジピンの頭部に掛けられる位置に保持する構造が好ましい。
【０００９】
また、請求項４の発明によると、ヒンジピンの頭部には円錐面が形成されており、係合部材の爪の外側には前記円錐面とほぼ等しい傾きの傾斜面が形成されており、前記ヒンジピンがそのヒンジピンの半径方向からヒンジ受け片の切欠きに嵌め込まれる際に、そのヒンジピンの頭部の円錐面が前記係合部材の傾斜面を押圧することでその係合部材の爪が弾性力に抗して押上げられ、前記円錐面が傾斜面から外れて前記ヒンジピンが前記切欠きの円弧部に嵌め込まれた段階で、前記係合部材の爪が弾性力で前記ヒンジピンの頭部に掛けられる。
このため、ヒンジ受け片の切欠きに対するヒンジ片のヒンジピンの嵌め込みをワンタッチで行なうことができる。
【００１０】
【発明の実施の形態】
以下、図１から図６に基づいて、本発明の実施形態１に係るパチンコ機のヒンジ装置の説明を行う。ここで、図１は本実施形態に係るパチンコ機のヒンジ装置の分解斜視図、図２〜図４はヒンジ装置の連結手順を表す斜視図、図５は機台枠に対して表枠が閉じられた状態のヒンジ装置の側面図、図６は機台枠に対して表枠が開かれた状態のヒンジ装置の側面図である。
なお、機台枠及び表枠の左右方向をＸ方向、前後方向をＹ方向及び高さ方向をＺ方向として以下の説明を行なう。
【００１１】
本実施形態に係るパチンコ機のヒンジ装置１０は、パチンコ機の本体ケースとなる略方形枠状の機台枠３に対して遊戯盤等が取付けられる表枠２を回動可能に組付ける装置である。
ヒンジ装置１０は、表枠２の左上隅部に固定される上部ヒンジ片２０（図２等参照）と左下隅部に固定される下部ヒンジ片８５（図７参照）、及び機台枠３の左上隅部に固定される上部ヒンジ受け片３０（図２等参照）と左下隅部に固定される下部ヒンジ受け片８４（図７参照）とから構成されている。ここで、表枠２の下部ヒンジ片８５と機台枠３の下部ヒンジ受け片８４とは、図７に示す従来の下部ヒンジ片８５及び下部ヒンジ受け片８４と等しい構造のため、説明を省略する。即ち、機台枠３が本発明の支持枠に相当し、表枠２が本発明の扉に相当する。
【００１２】
表枠２の左上隅部に固定される上部ヒンジ片２０は、図１（Ａ）に示すように、表枠２の前面に対して面接触状態でほぼ水平に取付けられる略長方形の取付板２２と、その取付板２２に対して直角に折り曲げられて、その表枠２の前方に突出する支持板２４とを有している。支持板２４は、取付板２２の上側でその取付板２２の中央より左側に位置しており、略Ｕ字形に成形されている。そして、支持板２４の先端部分にヒンジピン２６が取付けられるピン孔２５が形成されている。また、取付板２２には、上部ヒンジ片２０をリベット等で表枠２に固定する際に使用される複数の貫通孔２２ｋが形成されている。
【００１３】
ヒンジピン２６は、表枠２の回転中心となるピンであり、ピン本体２６ｍと、ピン本体２６ｍの上寄りに形成された大径部２６ｒと、ピン本体２６ｍの上端部に形成された略円錐台形の頭部２６ｈとから構成されている。ヒンジピン２６は大径部２６ｒが支持板２４のピン孔２５に嵌め込まれ、その位置で例えばカシメられることにより、その支持板２４に固定される。
【００１４】
機台枠３の左上隅部に固定される上部ヒンジ受け片３０は、図１（Ａ）に示すように、互いに直角に形成された横平板３２と縦平板３３とを備えており、両平板３２，３３の幅寸法（Ｘ方向寸法、Ｚ方向寸法）が上部ヒンジ片２０の取付板２２の長さ寸法にほぼ等しく設定されている。また、横平板３２と縦平板３３との奥行き寸法（Ｙ方向寸法）が機台枠３の奥行き寸法Ｌ（厚み寸法Ｌ）にほぼ等しく設定されている。また、横平板３２及び縦平板３３には、上部ヒンジ受け片３０を機台枠３に固定する際に使用される複数のネジ孔３９等が形成されている。
【００１５】
横平板３２の中央より左側には、機台枠３の前方に突出する受け部３２ｕがその横平板３２と同一面上に形成されている。受け部３２ｕは、上部ヒンジ片２０の支持板２４と平面視において同一形状に成形されている。
受け部３２ｕのほぼ中央部分は、横平板３２との境界部分からその受け部３２ｕの先端にかけて略長方形状に切欠かれており、その切欠き部分３２ｃの左右両側に一定高さ寸法の縦壁３４が垂下されている。さらに、左右の縦壁３４の下端は連結板３５によって互いに連結されている。
このため、切欠き部分３２ｃと左右の縦壁３４及び連結板３５とによって、受け部３２ｕのほぼ中央部分には溝状の空間が形成される。また、横平板３２と受け部３２ｕとの境界部分の下側には、左右の縦壁３４と連結板３５とによって区画される開口３２ｘが形成されている。
【００１６】
連結板３５には、上部ヒンジ片２０のヒンジピン２６をそのヒンジピン２６の半径方向から嵌め込むことが可能なピン用切欠き３６が形成されている。ピン用切欠き３６は、図１（Ｂ）に示すように、連結板３５の先端からほぼ中央部にかけて形成されている。即ち、ピン用切欠き３６は、先端の拡開部３６ｗと、ヒンジピン２６のピン本体２６ｍの外径寸法とほぼ等しい幅寸法を有するスリット状の導入部３６ｄと、ピン本体２６ｍが嵌合する円弧部３６ｅとから構成されている。
そして、ヒンジピン２６のピン本体２６ｍ（頭部２６ｈと大径部２６ｒとの間）がピン用切欠き３６の円弧部３６ｅと嵌合し、そのヒンジピン２６の略円錐台形の頭部２６ｈが連結板３５によって下方から支持されることにより、上部ヒンジ片２０は上部ヒンジ受け片３０によって回動可能に支持される。
【００１７】
ここで、上部ヒンジ受け片３０の受け部３２ｕに対する円弧部３６ｅの位置は、上部ヒンジ片２０の支持板２４に対するピン孔２５の位置に等しく設定されている。このため、上部ヒンジ片２０のヒンジピン２６を上部ヒンジ受け片３０の円弧部３６ｅに嵌め込み、機台枠３に対して表枠２が閉じた状態で、上部ヒンジ片２０の支持板２４と上部ヒンジ受け片３０の受け部３２ｕとは完全に重複するようになる。また、受け部３２ｕの周縁には、連結板３５の部分を除いて、縦壁３４とほぼ等しい高さ寸法の補強用縦壁３７が垂下されており、その補強用縦壁３７の先端が縦壁３４の先端に接続されている。さらに、左側の補強用縦壁３７の基端部が縦平板３３に接続されている。
【００１８】
上部ヒンジ受け片３０の受け部３２ｕにおける左右の縦壁３４と連結板３５とによって形成される溝状の空間には、係合部材４０が上下回動可能な状態で取付けられている。係合部材４０は、前述のようにピン用切欠き３６の円弧部３６ｅに嵌め込まれたヒンジピン２６の頭部２６ｈに掛けられることで、そのヒンジピン２６がピン用切欠き３６から外れるのを防止する働きをする。係合部材４０は、図５等に示すように、先端寄りにその係合部材４０の回動中心となる軸受け部４２が形成されており、その軸受け部４２に、図１（Ａ）に示すように、連結ピン４１が通されている。連結ピン４１は、その両端部が左右の縦壁３４に形成された取付け孔３４ｔと左側の補強用縦壁３７に形成された取付け孔３７ｔとに固定されており、連結板３５とほぼ平行に位置決めされている。
即ち、連結ピン４１が本発明の支持軸に相当する。
【００１９】
係合部材４０の軸受け部４２のほぼ真上位置から先端にかけては、連結板３５とほぼ等しい幅寸法及び長さ寸法の上板部４３が形成されている。上板部４３の先端は下方内側に折り返されており、傾斜板部４４が形成されている。さらに、傾斜板部４４の先端が上板部４３とほぼ平行になるまで折り返されて爪４５が形成されている。爪４５は平面円弧形の切欠き部（図示されていない）を有しており、その切欠き部がヒンジピン２６のピン本体２６ｍと嵌合可能に形成されている。
【００２０】
係合部材４０は、爪４５の下面が連結板３５の上面に当接する位置まで図５等において右回動が可能であり、右回動限界位置（図５、図６参照）でその爪４５がピン用切欠き３６に嵌め込まれたヒンジピン２６の頭部２６ｈに掛けられるとともに、爪４５の切欠き部がヒンジピン２６のピン本体２６ｍと嵌合する。この状態で、爪４５の切欠き部とピン用切欠き３６の円弧部３６ｅとは円周方向においてほぼ円状に連続する。したがって、ヒンジピン２６は、爪４５の切欠き部とピン用切欠き３６の円弧部３６ｅとの働きで軸回りにスムーズに回転可能になるとともに、ヒンジピン２６の頭部２６ｈが連結板３５及び爪４５によって下方から支持される。
【００２１】
また、係合部材４０が右回動限界位置にあるときに、その係合部材４０の上板部４３は受け部３２ｕの上面とはほぼ同一面上に保持される。さらに、係合部材４０の傾斜板部４４はヒンジピン２６の頭部２６ｈの外周面（円錐面）とほぼ平行になる。したがって、後記するように、ヒンジピン２６を連結板３５のピン用切欠き３６に嵌合させる際に、ヒンジピン２６の頭部２６ｈの円錐面で係合部材４０の傾斜板部４４の表面を押圧することにより、係合部材４０の爪４５を前記円錐面で押上げることが可能になる。即ち、傾斜板部４４の表面が本発明の傾斜面に相当する。
【００２２】
係合部材４０の軸受け部４２に通された連結ピン４１の回りには、図１（Ａ）に示すように、その係合部材４０を図において右回動させるように付勢されたコイルバネ４７が装着されている。即ち、係合部材４０の爪４５は、コイルバネ４７のバネ力により、ヒンジピン２６の頭部２６ｈと係合する位置（右回動限界位置）に保持される。
また、係合部材４０をコイルバネ４７のバネ力に抗して、図１（Ａ）において左回動させることにより、その係合部材４０の爪４５とヒンジピン２６の頭部２６ｈとの係合を解除することができる。
【００２３】
係合部材４０には、軸受け部４２の後方に操作用レバー４８が設けられている。操作用レバー４８は、係合部材４０をコイルバネ４７のバネ力に抗し、図５、図６等において、左回動させる際に使用するレバーである。また、操作用レバー４８は、機台枠３に対して表枠２が閉じられた状態で、係合部材４０の爪４５がヒンジピン２６の頭部２６ｈから不正に外されるのを防止する機能も有している。
【００２４】
操作用レバー４８は、横レバー４８ｆと縦レバー４８ｓとにより側面略横Ｌ字形に形成されており、その横レバー４８ｆが上板部４３よりも若干低い位置で、その上板部４３と平行に形成されている。そして、横レバー４８ｆが、図６等に示すように、横平板３２の内側に配置されるとともに、その横レバー４８ｆの先端が開口３２ｘに通され、段差４８ｄを介して上板部４３に接続されている。このため、係合部材４０がコイルバネ４７のバネ力で爪４５とヒンジピン２６との係合位置（右回動限界位置）に保持されている状態で、横レバー４８ｆは横平板３２の下面にほぼ当接するようになる。
【００２５】
操作用レバー４８の縦レバー４８ｓは、図５に示すように、機台枠３に対して表枠２は閉じられた状態で、その表枠２の裏面にほぼ当接する位置に保持されている。このため、図５において、例えば、特殊工具を使用し、係合部材４０の爪４５を押上げようとしても、その係合部材４０が左回動を開始した時点で操作用レバー４８の縦レバー４８ｓが下前方に傾斜して表枠２の裏面に当接するため、係合部材４０の左回動が禁止される。
【００２６】
次に、本実施形態に係るパチンコ機のヒンジ装置１０を使用して機台枠３に対する表枠２の組付け等について説明する。
機台枠３に対して表枠２を組付ける場合には、先ず、図７の下半分に示すように、表枠２を持ち上げて、機台枠３の下部ヒンジ受け片８４のヒンジピン８４ｐをその表枠２の下部ヒンジ片８５の貫通孔８５ｋに挿入する。これによって、下部ヒンジ片８５と下部ヒンジ受け片８４との連結が終了する。
【００２７】
次に、図２に示すように、機台枠３に対して表枠２をほぼ直角に保持した状態で、表枠２の上部ヒンジ片２０のヒンジピン２６を機台枠３の上部ヒンジ受け片３０のピン用切欠き３６の方向に移動させる。そして、図３に示すように、ヒンジピン２６の頭部２６ｈの外周面（円錐面）を係合部材４０の傾斜板部４４の表面に当接させた状態で、そのヒンジピン２６のピン本体２６ｍ（頭部２６ｈと大径部２６ｒ間）を半径方向からピン用切欠き３６に押込む。これによって、ヒンジピン２６の頭部２６ｈの円錐面と係合部材４０の傾斜板部４４の表面との摺動作用により、その係合部材４０がコイルバネ４７のバネ力に抗し、図６において、左回動する。
【００２８】
そして、ヒンジピン２６の頭部２６ｈが係合部材４０の傾斜板部４４から外れ、ヒンジピン２６のピン本体２６ｍがピン用切欠き３６の円弧部３６ｅ（図１（Ｂ）参照）に嵌合した段階で、係合部材４０がコイルバネ４７のバネ力で右回動する。これによって、図４、図６に示すように、係合部材４０の爪４５がヒンジピン２６の頭部２６ｈに掛けられ、上部ヒンジ片２０と上部ヒンジ受け片３０との連結が終了する。
【００２９】
このようにして、下部ヒンジ片８５と下部ヒンジ受け片８４及び上部ヒンジ片２０と上部ヒンジ受け片３０との連結が終了すると、表枠２は機台枠３に対してヒンジピン８４ｐ，２６を中心に回動可能となる。機台枠３に対して表枠２が閉じられると、図５に示すように、係合部材４０おける操作用レバー４８の縦レバー４８ｓがその表枠２の裏面にほぼ当接する位置に保持される。このため、例えば、特殊工具を使用し、係合部材４０の爪４５を押上げようとしても、その係合部材４０が左回動を開始した時点で操作用レバー４８の縦レバー４８ｓが表枠２の裏面に当接し、係合部材４０の左回動が禁止される。したがって、機台枠３に対して表枠２が閉じられていれば、上部ヒンジ片２０のヒンジピン２６が上部ヒンジ受け片３０のピン用切欠き３６から不正に外されることがない。
【００３０】
次に、機台枠３から表枠２を外す手順を説明する。
先ず、機台枠３に対して表枠２を約９０°開く（図６参照）。次に、この状態で、操作用レバー４８を手前に引いて係合部材４０を図中左回動させる。これによって、係合部材４０の爪４５が上方に移動し、その爪４５とヒンジピン２６の頭部２６ｈとの係合が解除される。この状態で、ヒンジピン２６をピン用切欠き３６から引き抜くことにより、上部ヒンジ片２０と上部ヒンジ受け片３０との連結を解除することができる。
次に、表枠２を持ち上げて、下部ヒンジ受け片８４のヒンジピン８４ｐを下部ヒンジ片８５の貫通孔８５ｋから引き抜くことにより、下部ヒンジ片８５と下部ヒンジ受け片８４との連結を解除できる。
【００３１】
このように、本実施形態に係るパチンコ機のヒンジ装置１０によると、機台枠３に対して表枠２を組付ける際に、上下のヒンジ受け片３０，８４とヒンジ片２０，８５との位置合わせを同時に行なう必要がなくなり、前記組付け作業が容易になる。
また、係合部材４０は、機台枠３に対して閉じられた表枠２の内面によって、ヒンジピン２６の頭部２６ｈから外れる方向の移動が禁止される。このため、機台枠３に対して表枠２が閉じられていれば、上部ヒンジ片２０のヒンジピン２６が上部ヒンジ受け片３０のピン用切欠き３６から不正に外されることがない。
【００３２】
なお、本実施形態では、機台枠３に対して表枠２を回動可能に組付けるヒンジ装置１０を例に説明を行なったが、このヒンジ装置１０の構造を表枠に対してガラス枠等を回動可能に組付けるヒンジ装置に応用することも可能である。
【００３３】
【発明の効果】
本発明によると、上下のヒンジ片とヒンジ受け片とを同時に連結させる場合と比較して、支持枠に対する扉の組付け作業を容易に行なうことができる。また、支持枠に対して扉が閉じられた状態で、ヒンジ受け片の切欠きからヒンジ片のヒンジピンが不正に外されることがない。
【図面の簡単な説明】
【図１】本発明の実施形態１に係るパチンコ機のヒンジ装置の分解斜視図（Ａ図）、及びピン用切欠きを表す平面図（Ａ図のＢ部拡大図、Ｂ図）である。
【図２】前記ヒンジ装置の連結手順を表す斜視図である。
【図３】前記ヒンジ装置の連結手順を表す斜視図である。
【図４】前記ヒンジ装置の連結手順を表す斜視図である。
【図５】機台枠に対して表枠が閉じられた状態におけるヒンジ装置の側面図である。
【図６】機台枠に対して表枠が開かれた状態におけるヒンジ装置の側面図である。
【図７】従来のパチンコ機のヒンジ装置を表す斜視図である。
【符号の説明】
２　　　表枠（扉）
３　　　機台枠（支持枠）
２０　　上部ヒンジ片
２６　　ヒンジピン
２６ｈ　頭部
２６ｍ　ピン本体
３０　　上部ヒンジ受け片
３６　　ピン用切欠き（切欠き）
３６ｅ　円弧部
４０　　係合部材
４１　　連結ピン（支持軸）
４４　　傾斜板部（傾斜面）
４５　　爪
４７　　コイルバネ
４８　　操作用レバー
【図１】
2004049311.tif 000003
【図２】
2004049311.tif 000004
【図３】
2004049311.tif 000005
【図４】
2004049311.tif 000006
【図５】
2004049311.tif 000007
【図６】
2004049311.tif 000008
【図７】
2004049311.tif 000009